(57)【要約】【課題】天板付き家具の装飾性能の低下を防止する。【解決手段】天板取付具３０が使用されて天板２０が家具１１の上面に浮かせて取り付けられる際に、天板取付具３０の天板固定部材３１が天板２０に固定され、天板取付具３０の支柱４０が家具１１の上面に、段付孔４２に支柱用ボルト５０が挿通され雌ねじ穴５１にねじ込まれて締結される。支柱４０の挿入穴４３には天板に固定された天板固定部材３１の縦部片３３が挿入される。縦部片３３が挿入された支柱４０の固定穴４４には天板用ボルト６０が水平方向から挿入され雌ねじ部４５にねじ込まれて天板固定部材３１が支柱４０に固定される。【効果】天板固定部材は天板付き家具の正面や上面から見えない状態になっており、また、支柱の固定穴は側方から見えない状態になっているので、天板付き家具の装飾性能が天板取付具によって損なわれることはない。【選択図】      図３
2004159902.tif 000002
【特許請求の範囲】
【請求項１】
天板の下面に当接されて固定される横部片と、この横部片に直角に連結された縦部片とを有する天板固定部材と、
上下方向に貫通する段付孔が開設され、端面には前記天板固定部材の縦部片が挿入される挿入穴が開設され、側面には前記挿入穴に交差する固定穴が開設された支柱と、
前記挿入穴が開設された端面側から前記段付孔に挿入されて前記支柱を締結する締結部材と、
前記固定穴に挿入されて前記挿入穴に挿入された前記縦部片を固定する固定部材とを備えている天板取付具。
【請求項２】
前記支柱が上下対称形または前後対称形に構成されていることを特徴とする請求項１に記載の天板取付具。
【請求項３】
請求項１の天板取付具が使用されて、天板が上面に浮かされて取り付けられていることを特徴とする天板付き家具。
【発明の詳細な説明】
【０００１】
【発明の属する技術分野】
本発明は、天板付き家具に関し、特に、家具の上面に天板を適度に浮かせて取り付ける天板取付技術に関する。
【０００２】
【従来の技術】
商談室や展示室および待合室等に設置される家具として、装飾性能を高めるためにガラスパネルを使用した棚（以下、ガラスパネル棚という。）が考えられ、さらに、ガラスパネル棚の上面を構成するガラスパネルの上に天板を浮かせて取り付けた天板付きガラスパネル棚が考えられる。
【０００３】
このように家具の上面に天板を浮かせて取り付ける場合には、家具の上面と天板の下面との間に天板を家具の上面から浮かせるベース部材（支柱）を挟み込み、断面コ字形状（チャンネル型鋼形状）に形成された取付金具を家具の上板とベース部材との間に挿入し、ベース部材を挟んだ状態で、天板と取付金具とをねじ部材によって締め上げることにより、天板を家具に固定する天板取付技術を採用することが考えられる（例えば、特許文献１参照）。
【０００４】
【特許文献１】
特開２００２−１４２８９２号公報
【０００５】
【発明が解決しようとする課題】
しかしながら、ベース部材を挟んだ状態で天板と取付金具とをねじ部材によって締め上げる取付技術を使用して、ガラスパネル棚の上面に天板を浮かせて取り付ける場合においては、取付金具やねじ部材が天板付きガラスパネル棚の正面から見えてしまうために、天板付きガラスパネル棚の装飾性能が低下してしまうという問題点がある。
【０００６】
本発明の目的は、装飾性能の低下を防止することができる天板取付具および天板付き家具を提供することにある。
【０００７】
【課題を解決するための手段】
課題を解決するための天板取付具は、天板の下面に当接されて固定される横部片と、この横部片に直角に連結された縦部片とを有する天板固定部材と、
上下方向に貫通する段付孔が開設され、端面には前記天板固定部材の縦部片が挿入される挿入穴が開設され、側面には前記挿入穴に交差する固定穴が開設された支柱と、
前記挿入穴が開設された端面側から前記段付孔に挿入されて前記支柱を締結する締結部材と、
前記固定穴に挿入されて前記挿入穴に挿入された前記縦部片を固定する固定部材とを備えている。
【０００８】
天板取付具が使用されて天板が家具の上面に浮かせて取り付けられる際に、天板には天板取付具の天板固定部材が固定され、家具の上面には天板取付具の支柱が締結部材によって締結される。家具の上面に締結された支柱の挿入穴には天板に固定された天板固定部材の縦部片が挿入される。天板固定部材の縦部片が挿入された支柱の固定穴には固定部材が水平方向から挿入されることにより、天板固定部材が支柱に固定される。このようにして製造された天板付き家具においては、天板固定部材は天板付き家具の正面や上面において見えない状態になっており、また、支柱の固定穴は側方においても見えない状態になっている。
【０００９】
【発明の実施の形態】
以下、本発明の一実施の形態を図面に即して説明する。
【００１０】
本実施の形態において、本発明に係る天板付き家具は、図１に示された天板付きガラスパネル棚１０として構成されており、ガラスパネル棚１１の上面には天板２０が図２および図３に示された天板取付具３０によって上面から浮かせて取り付けられている。図１に示されているように、ガラスパネル棚１１は正面から見て二連になるように構成されており、六本の棚柱１２を備えている。六本の棚柱１２はアルミニウムが使用されたダイキャスト法によって断面が小判形の柱形状に形成されており、平面視が長方形の四隅および一対の長辺の中央にそれぞれ配置されて垂直に立脚されている。六本の棚柱１２が構成する側面のうち正面の二面を除く四枚の側面には、側面ガラスパネル１３がそれぞれ建て込まれており、左側の二本の棚柱１２、１２と中央の二本の棚柱１２、１２との間、右側の二本の棚柱１２、１２と中央の二本の棚柱１２、１２との間には、上段ガラスパネル１４と、中段ガラスパネル１５と、下段ガラスパネル１６がそれぞれ水平に架設されている。
【００１１】
天板２０は本体２１を備えており、本体２１はアルミニウム板や木製板または化粧合板等が使用されて、ガラスパネル棚１１の平面視よりも若干大きめの略長方形の平板形状に形成されている。本体２１の下面における四隅には逃げ凹部２２がそれぞれ没設されており、本体２１の下面における短辺と平行な中心線の前端部および後端部にも逃げ凹部２２がそれぞれ没設されている。逃げ凹部２２は一定深さの長方形の穴形状に形成されており、図２に示されているように、逃げ凹部２２の大きさおよび深さは天板取付具３０の天板固定部材３１の横部片３２を陥没させ得るように設定されている。逃げ凹部２２の穴底には雌ねじ２４を構成するナット２３が埋設されている。
【００１２】
図３に示された天板取付具３０は天板２０を固定するための天板固定部材３１と、天板２０を浮かせるための支柱４０と、支柱４０をガラスパネル棚１１に締結するための締結部材５０と、天板２０を支柱４０に固定するための固定部材６０とを備えている。
【００１３】
天板固定部材３１はステンレス鋼等の剛性を有する材料が使用されて、天板２０の下面に当接されて固定される横部片３２と、この横部片３２に直角に連結された縦部片３３とからなるアングル型鋼形状に形成されている。長方形の平板形状に形成された横部片３２は天板２０の逃げ凹部２２に陥没される大きさおよび厚さに設定されており、長辺と平行な中心線上には長孔３４が開設されている。長孔３４は天板２０の雌ねじ２４に螺合するボルト３６を挿通可能に形成されており、ボルト３６が長孔３４に挿通されて雌ねじ２４にねじ込まれることにより、横部片３２は天板２０に固定されるようになっている。長方形の平板形状に形成された縦部片３３の中央にはボルト挿通孔３５が開設されている。天板固定部材３１は同一形状のものが複数個予め準備されている。
【００１４】
図３および図４に示されているように、支柱４０は断面が棚柱１２と同一の短尺の柱形状に形成された本体４１を備えている。すなわち、本体４１はアルミニウムが使用されたダイキャスト法によって断面が小判形の短尺の柱形状に形成されている。本体４１の一端部には段付孔４２が上下方向に貫通するように開設されており、本体４１の上側端面には縦部片３３が挿入される挿入穴４３が開設されている。盲穴である挿入穴４３は本体４１の直線辺と平行な中心線上に配置されて、平面視が略矩形の長穴形状に形成されており、挿入穴４３の一端部は段付孔４２に重なっている。挿入穴４３の深さは一定で縦部片３３の長さ以上かつ段付孔４２の段付部の深さよりも浅く設定されており、挿入穴４３の幅は二枚の縦部片３３、３３を収容し得るように設定されている。本体４１の一方の側面には固定穴４４が挿入穴４３に直交するように開設されており、固定穴４４は反対側の側面において開口しない盲穴になっている。固定穴４４の挿入穴４３の立ち上がり側面に開設された穴底部には雌ねじ部４５が形成されている。支柱４０は左右対称形に構成されたものが、複数個ずつ予め準備されている。
【００１５】
支柱４０をガラスパネル棚１１に締結するための締結部材は、段付孔４２に挿通されるボルト（以下、支柱用ボルトという。）によって構成されており、支柱用ボルト５０は棚柱１２の上面に開設された雌ねじ穴５１に螺入するように設定されている。支柱用ボルト５０が段付孔４２に挿通されて雌ねじ穴５１にねじ込まれることにより、支柱４０は棚柱１２の上面に締結される。
【００１６】
天板２０を支柱４０に固定するための固定部材は、固定穴４４に挿入されて雌ねじ部４５にねじ込まれるボルト（以下、天板用ボルトという。）によって構成されており、天板固定部材３１の縦部片３３が支柱４０の挿入穴４３に挿入された状態で、天板用ボルト６０が固定穴４４に挿入されて雌ねじ部４５にねじ込まれることにより、天板固定部材３１は支柱４０に固定される。
【００１７】
次に、前記構成に係る天板取付具３０を使用した天板２０のガラスパネル棚１１への取付方法を説明する。この説明により、天板付きガラスパネル棚１０の構成が共に明らかになる。
【００１８】
天板２０の複数個の逃げ凹部２２には天板固定部材３１がそれぞれ固定される。すなわち、天板固定部材３１の横部片３２が逃げ凹部２２に陥没するように当接され、ボルト３６が長孔３４に挿通されて雌ねじ２４にねじ込まれることにより、横部片３２は天板２０に固定される。この状態において、横部片３２の下面およびボルト３６の頭部の下面は天板２０の本体２１の下面と略面一となって正面側から見えない状態になっており、また、天板固定部材３１の左右方向の位置は長孔３４を案内として微調整し得る状態になっている。
【００１９】
ガラスパネル棚１１の六本の棚柱１２の上面には六個の支柱４０がそれぞれ固定される。すなわち、支柱４０が棚柱１２の上面に当接されて、段付孔４２が雌ねじ穴５１に整合され、支柱用ボルト５０が段付孔４２に挿通されて雌ねじ穴５１にねじ込まれることにより、支柱４０は棚柱１２の上面に締結される。この際、左側の棚柱１２には右側面に固定穴４４の開設された支柱４０が締結され、右側の棚柱１２には左側面に固定穴４４の開設された支柱４０が締結される。つまり、支柱４０は固定穴４４が側方から見えないように配置される。
【００２０】
ガラスパネル棚１１の上面に締結された各支柱４０の挿入穴４３には、天板２０に固定された天板固定部材３１の縦部片３３がそれぞれ挿入される。この際、左右の両端の支柱４０の挿入穴４３には縦部片３３が一枚ずつ挿入されるが、中央の支柱４０の挿入穴４３には二枚の縦部片３３が同時に挿入される。縦部片３３が挿入穴４３に挿入されるときには、天板固定部材３１の天板２０に対する左右の位置が長孔３４の案内によって微調整されてセルフアライメントされることにより、縦部片３３は挿入穴４３にスムーズに挿入されて行く。
【００２１】
天板固定部材３１の縦部片３３が挿入された支柱４０の固定穴４４には、天板用ボルト６０が水平方向から挿入されて雌ねじ部４５にねじ込まれ、縦部片３３が挿入穴４３の側面に締結されることにより、天板固定部材３１は支柱４０に固定される。この際、中央の支柱４０の挿入穴４３に同時に挿入された二枚の縦部片３３、３３は、縦部片３３の挿入穴４３の側面に共締めされる。
【００２２】
以上のようにして天板２０が上面に天板取付具３０によって浮かせた状態で取り付けられた天板付きガラスパネル棚１０においては、天板取付具３０の天板固定部材３１やボルト３６および天板用ボルト６０は上方および前方から見えないし、各支柱４０の側面の固定穴４４は側方から見えない。したがって、天板付きガラスパネル棚１０の美観が天板取付具３０によって損なわれることはない。また、天板取付具３０の支柱４０の本体４１は棚柱１２と同質のアルミニウムによって同一の平面形の柱形状に形成されていることにより、天板付きガラスパネル棚１０は一体的な構造物として看取されるので、装飾性をより一層向上させることができる。
【００２３】
なお、本発明は前記実施の形態に限定されるものではなく、その要旨を逸脱しない範囲で種々に変更が可能であることはいうまでもない。
【００２４】
例えば、図５に示されているように、天板取付具の支柱は上下対称形に形成してもよい。すなわち、図５に示された支柱４０Ａにおいては、上下で一対の段付孔４２、４２が本体４１Ａの上下両端面にそれぞれ開設されているとともに、上下で一対の挿入穴４３、４３が本体４１Ａの上下両端面にそれぞれ開設されており、上下で一対の固定穴４４、４４が上下の挿入穴４３、４３に直交するようにそれぞれ開設されている。本実施の形態においては、ガラスパネル棚１１の上面に天板２０を天板取付具３０によって取り付けるに際して、左右の棚柱１２、１２の上に上下対称形の支柱４０Ａ、４０Ａを互いに上下対称形に配置することにより、左右の支柱４０Ａ、４０Ａを左右対称形に配置することができる。本実施の形態によれば、同一の規格の支柱４０Ａを製造すれば済むので、アルミダイキャスト法の金型の費用等を低減することができ、天板取付具ひいては天板付きガラスパネル棚のコストを低減することができる。
【００２５】
また、図６に示されているように、天板取付具の支柱は前後対称形に形成してもよい。すなわち、図６に示された支柱４０Ｂにおいては、一本の段付孔４２Ｂが本体４１Ｂの中心線上に開設されている。本実施の形態においては、ガラスパネル棚１１の上面に天板２０を天板取付具３０によって取り付けるに際して、左右の棚柱１２、１２の上に前後対称形の支柱４０Ｂ、４０Ｂを前後を互いに１８０度反転させて配置することにより、左右の支柱４０Ｂ、４０Ｂを左右対称形に配置することができる。本実施の形態によれば、同一の規格の支柱４０Ｂを製造すれば済むので、アルミダイキャスト法の金型の費用等を低減することができ、天板取付具ひいては天板付きガラスパネル棚のコストを低減することができる。
【００２６】
支柱はアルミニウムによって製造するに限らず、樹脂や木材および合板等によって製造してもよい。また、締結部材および固定部材は、支柱用ボルト５０や天板用ボルト６０によって構成するに限らず、セルフタッピングねじ部材やリベット、釘、その他の締結部材や固定部材によって構成することができる。
【００２７】
一枚の天板を取り付ける場合に限らず、図７に示されているように、二枚の天板２０、２０を連結するように取り付けてもよい。
【００２８】
天板を取り付ける家具は、ガラスパネル棚に限らず、一般的な棚であってもよいし、例えば、図８に示されているように、キャビネット等であってもよい。図８に示されたキャビネット１１Ａの場合には、キャビネット１１Ａの上板１４Ａに予め形成された切り抜き片１７を切り抜いた取付孔１８に支柱用ボルト５０を挿通してナット５２によって支柱４０を締結してもよい。
【００２９】
【発明の効果】
以上説明したように、本発明によれば、装飾性能の低下を防止しつつ、天板を家具の上面に浮かせて取り付けることができる。
【図面の簡単な説明】
【図１】本発明の第一の実施の形態である天板付きガラスパネル棚を示しており、（ａ）は平面図、（ｂ）は正面図、（ｃ）は側面図である。
【図２】（ａ）は図１のＩＩａ−ＩＩａ線に沿う断面図、（ｂ）は図１のＩＩｂ−ＩＩｂ線に沿う断面図である。
【図３】本発明の第二の実施の形態である天板取付具を示す分解斜視図である。
【図４】支柱を示しており、（ａ）は側面図、（ｂ）は（ａ）のｂ−ｂ矢視図、（ｃ）は（ａ）のｃ−ｃ矢視図、（ｄ）は（ａ）のｄ−ｄ線に沿う断面図、（ｅ）は（ａ）のｅ−ｅ線に沿う断面図、（ｆ）は（ａ）のｆ−ｆ線に沿う断面図である。
【図５】本発明の第二の実施の形態である天板取付具の支柱を示しており、（ａ）は側面図、（ｂ）は（ａ）のｂ−ｂ矢視図、（ｃ）は（ａ）のｃ−ｃ矢視図、（ｄ）は（ａ）のｄ−ｄ線に沿う断面図、（ｅ）は（ａ）のｅ−ｅ線に沿う断面図、（ｆ）は（ａ）のｆ−ｆ線に沿う断面図である。
【図６】本発明の第三の実施の形態である天板取付具を示す分解斜視図である。
【図７】本発明の第二の実施の形態である天板付きガラスパネル棚を示しており、（ａ）は図２の（ａ）に相当する断面図、（ｂ）は図２の（ｂ）に相当する断面図である。
【図８】本発明の第三の実施の形態である天板付きキャビネットの主要部を示す分解斜視図である。
【符号の説明】
１０…天板付きガラスパネル棚（天板付き家具）、１１…ガラスパネル棚（家具）、１２…棚柱、１３…側面ガラスパネル、１４…上段ガラスパネル、１５…中段ガラスパネル、１６…下段ガラスパネル、２０…天板、２１…本体、２２…逃げ凹部、２３…ナット、２４…雌ねじ、３０…天板取付具、３１…天板固定部材、３２…横部片、３３…縦部片、３４…長孔、３５…ボルト挿通孔、３６…ボルト、４０…支柱、４１…支柱の本体、４２…段付孔、４３…挿入穴、４４…固定穴、４５…雌ねじ部、５０…支柱用ボルト（締結部材）、５１…雌ねじ穴、５２…ナット、６０…天板用ボルト（固定部材）、４０Ａ…支柱、４１Ａ…支柱の本体、４０Ｂ…支柱、４１Ｂ…支柱の本体、４２Ｂ…段付孔、１１Ａ…キャビネット（家具）、１４Ａ…上板、１７…切り抜き片、１８…取付孔。
【図１】
2004159902.tif 000003
【図２】
2004159902.tif 000004
【図３】
2004159902.tif 000005
【図４】
2004159902.tif 000006
【図５】
2004159902.tif 000007
【図６】
2004159902.tif 000008
【図７】
2004159902.tif 000009
【図８】
2004159902.tif 000010